(57)【要約】【課題】ハウジングを二重に形成し、このような二重に形成されたハウジングの内部を通過する冷媒の流動構造を改善して、冷却効率を向上できる冷媒流路構造が改善された水冷式モーターを提供する。【解決手段】本発明の実施形態に係るモーターは、ステーター及びローターが設けられる第１ハウジングと、前記第１ハウジングに締結時に前記第１ハウジングと所定間隔離隔されて冷媒流路を形成する第２ハウジングと、前記冷媒流路と連通されて、前記冷媒流路に冷媒を流入させる第１パイプ、及び流入した冷媒を排出させる第２パイプと、前記冷媒流路に位置して、冷媒をジグザグに流動させるために備えられる複数の流路形成突起を含むことができる。【選択図】図７
2014096979.tif 000002
【特許請求の範囲】
【請求項１】
ステーター及びローターが備えられるモーターにおいて、
ステーター及びローターが設けられる第１ハウジングと、
前記第１ハウジングに締結時に前記第１ハウジングと所定間隔離隔されて冷媒流路を形成する第２ハウジングと、
前記冷媒流路と連通されて、前記冷媒流路に冷媒を流入させる第１パイプ、及び流入した冷媒を排出させる第２パイプと、
前記冷媒流路に位置して、冷媒をジグザグに流動させるために備えられる複数の流路形成突起と、
を含むことを特徴とする、モーター。
【請求項２】
前記第１ハウジングは、ステーター及びローターが設けられる内筒部と、前記内筒部と一定距離離隔される外筒部と、前記内筒部と外筒部を連結する複数のリーブ部材で区切られて形成される複数の空間部と、を含み、
前記第２ハウジングは前記第１ハウジングと結合時前記空間部に位置する流路形成突起２７を含むことを特徴とする、請求項１に記載のモーター。
【請求項３】
前記複数の空間部は、互いに同じ間隔で形成されることを特徴とする、請求項２に記載のモーター。
【請求項４】
前記複数の空間部は、前記第１ハウジングの周りに沿って全体的に形成されることを特徴とする、請求項２に記載のモーター。
【請求項５】
前記流路形成突起は、多角形状で用意されることを特徴とする、請求項１に記載のモーター。
【請求項６】
前記流路形成突起は、二等弁三角形形状で用意されることを特徴とする、請求項１に記載のモーター。
【請求項７】
前記第１ハウジングは、放熱性が優れた金属材質で形成されることを特徴とする、請求項１に記載のモーター。
【請求項８】
前記冷媒流路は、
前記冷媒流路を形成する前記内筒部と外筒部との間の離隔距離の厚さが、前記内筒部と第２ハウジングが対向する面の厚さより大きく形成されることを特徴とする、請求項２に記載のモーター。
【請求項９】
前記冷媒流路は、第１ハウジングに備えられて、前記冷媒流路の内側面を形成する円筒形状の挿入筒部と、前記第２ハウジングに備えられて、前記冷媒流路の外側面を形成する内側筒部と、で形成され、
前記流路形成突起は、前記挿入筒部の外周面、または内側筒部の内周面のうち少なくともいずれか一つの面に形成されることを特徴とする、請求項１に記載のモーター。
【請求項１０】
前記流路形成突起は、
前記挿入筒部の外周面に一定間隔を持って形成される第１流路形成突起、及び
前記内側筒部の内周面に一定間隔を持って形成される第２流路形成突起を含むことを特徴とする、請求項９に記載のモーター。
【請求項１１】
前記第１及び第２流路形成突起は、互いに対応する形状で形成されることを特徴とする、請求項１０に記載のモーター。
【請求項１２】
前記流路形成突起は、多角形状で用意されることを特徴とする、請求項９に記載のモーター。
【請求項１３】
前記流路形成突起は、二等弁三角形形状で用意されることを特徴とする、請求項９に記載のモーター。
【請求項１４】
前記第１ハウジングは、金属材質で形成されることを特徴とする、請求項９に記載のモーター。
【発明の詳細な説明】
【技術分野】
【０００１】
本発明は、冷却水による冷却を行うモーターに関するものである。
【背景技術】
【０００２】
モーターは、電気エネルギーを回転力に変換させる装置であり、種々の動力源として広く用いられている。
【０００３】
モーターが、電気エネルギーを消耗して回転力を発生する際に、多量の熱が発生され、モーターから発生された熱によってモーターの効率は大きく減少される。最近、車両用高出力モーターの場合には水冷式ウォータージャケットを利用して、モーターから発生した熱を速かに除去する。
【０００４】
一般的な水冷式モーターは、多量の熱を発生させるステーター、またはハウジング内部に貫いて冷媒を通過させるパイプを含むパイプ挿入方式（ｐｉｐｅ  ｉｎｓｅｒｔｉｎｇ  ｔｙｐｅ）が広く用いられている。
【０００５】
しかし、このような従来のパイプ挿入方式冷却方法は、構造が非常に複雑で、パイプによってモーター内部空間制約が大きくて、冷却効率が低い問題を有する。
【発明の概要】
【発明が解決しようとする課題】
【０００６】
実施形態は、ハウジングを二重に形成し、このような二重に形成されたハウジングの内部を通過する冷媒の流動構造を改善して、冷却効率を向上できる冷媒流路構造が改善された水冷式モーターを提供することがその目的である。
【課題を解決するための手段】
【０００７】
本発明の実施形態に係るモーターは、ステーター及びローターが設けられる第１ハウジングと、前記第１ハウジンと締結する際に前記第１ハウジングと所定間隔離隔されて冷媒流路を形成する第２ハウジングと、前記冷媒流路と連通されて、前記冷媒流路に冷媒を流入させる第１パイプ及び流入した冷媒を排出させる第２パイプと、前記冷媒流路に位置し、冷媒をジグザグに流動させるために備えられる複数の流路形成突起を含んでもよい。
【０００８】
ここで、本発明の一実施形態に係る前記第１ハウジングは、ステーター及びローターが設けられる内筒部と、前記内筒部と一定距離離隔される外筒部、及び前記内筒部と外筒部を連結する複数のリーブ部材で区切られて形成される複数の空間部を含み、前記第１ハウジングの下側に結合して、前記第１ハウジンと結合時前記空間部に位置する流路形成突起を含む第２ハウジングと、を含んでもよい。
【０００９】
前記複数の空間部は、互いに同じ間隔で形成されてもよい。
【００１０】
前記複数の空間部は、前記第１ハウジングの周りに沿って全体的に形成されてもよい。
【００１１】
前記冷媒流路は、前記第１ハウジングの空間部に挿入される端部の厚さが前記内筒部と外筒部との間の距離と対応する厚さ（ｔ１）を有してもよい。
【００１２】
一方、本発明の他の実施形態に係る前記冷媒流路は、第１ハウジングに備えられて前記冷媒流路の内側面を形成する円筒形状の挿入筒部と、前記第２ハウジングに備えられて前記冷媒流路の外側面を形成する内側筒部で形成され、前記流路形成突起は、前記挿入筒部の外周面、または内側筒部の内周面のうち少なくともいずれか一面に形成されてもよい。
【００１３】
前記流路形成突起は、前記挿入筒部の外週面に一定間隔を持って形成される第１流路形成突起と、前記内側筒部の内周面に一定間隔を持って形成される第２流路形成突起を含んでもよい。
【００１４】
前記第１及び第２流路形成突起は、互いに対応する形状で形成されてもよい。
【００１５】
前記流路形成突起は、多角形状で用意されるが、一実施形態として、二等辺三角形状で用意されてもよい。
【００１６】
前記第１ハウジングは、放熱性が優れる金属材質で形成されてもよい。
【発明の効果】
【００１７】
本発明の様々な実施形態によれば、以下に述べる効果が得られる。
【００１８】
冷媒が、モーターハウジングでできるだけ留まるように、移動経路がジグザグで形成されるため、モーターの冷却がより効率的に行われる。
【００１９】
また、別途の流路形成部材を設置するのではなく、モーターを構成するハウジングの形状の一部を変更して構成するため、モーターの組立公差が短縮されて、組立作業時に追加費用が発生しない。
【００２０】
また、既存に比べて冷却性能が向上するため、ステーターを構成するコイルの等級は、低くして使用でき、コイル巻線数を増加させてモーターの効率をより向上させることができる。
【図面の簡単な説明】
【００２１】
【図１】本発明の第１実施形態に係るモーターの結合斜視図である。
【図２】本発明の第１実施形態に係る第１ハウジングの背面斜視図である。
【図３】本発明の第１実施形態に係る第１及び第２ハウジングによって形成される冷媒流路の形状を立体的に表示した図面である。
【図４】本発明の第１実施形態に係る第２ハウジングの斜視図である。
【図５】本発明の第２実施形態に係るモーターの結合斜視図である。
【図６】本発明の第２実施形態に係る第１ハウジングの背面斜視図である。
【図７】本発明の第２実施形態に係る第１及び第２ハウジングによって形成される冷媒流路の形状を立体的に表示した図面である。
【図８】本発明の第２実施形態に係る第２ハウジングの斜視図である。
【発明を実施するための形態】
【００２２】
以下、本発明の実施形態に係るモーターについて添付図面を参照して詳細に説明する。
【００２３】
特別な定義がない限り、本明細書のすべての用語は、当業者が理解できる用語の一般的な意味と同じであり、仮に本明細書で用いられた用語が、該当用語の一般的な意味と衝突する場合には、本明細書に用いられた定義に従う。
【００２４】
但し、以下に記述される発明は、本発明の実施形態を説明するためのものだけであって、本発明の権利範囲を限定するためのものではなく、明細書全般にわたって同じに用いられた参照番号は同じ構成要素を示す。
【００２５】
図１は、本発明の第１実施形態に係るモーターの結合斜視図、図３は、本発明の第１実施形態に係る第１及び第２ハウジングによって形成される冷媒流路の形状を立体的に表示した図面、図２は、本発明の第１実施形態に係る第１ハウジングの背面斜視図、図４は、本発明の第１実施形態に係る第２ハウジングの斜視図である。
【００２６】
図１乃至図３に示したように、本発明の一実施形態に係るモーターは、第１及び第２ハウジング１０、２０が上下に結合して、その間に形成された空間部１０ｃに冷媒を供給してモーターを冷却する。
【００２７】
具体的に、前記第１ハウジング１０は、モーターの最外側を形成し、未図示されたステーター及びローターなどのモーター構成部品が設けられる内筒部１０ａと、前記内筒部１０ａと一定の距離離隔される外筒部１０ｂを含み、前記内筒部１０ａと外筒部１０ｂとの間には複数のリーブ部材３６で区切られる複数の空間部１０ｃが形成されてもよい。前記空間部１０ｃは、均一で一定の冷媒流路形成のために複数が互いに同じ大きさを持つように形成されてもよい。また、前記第１ハウジング１０は、優れた放熱効果のために金属材質で実現してもよい。
【００２８】
本発明の一実施形態によると、前記複数個の空間部１０ｃは、前記内筒部１０ａと外筒部１０ｂとの間で周りに沿って一部または全体的に形成され、前記空間部１０ｃの大きさ及び体積は、モーターの温度及び冷却のための冷媒量に応じて可変されてもよい。
【００２９】
図１を参照すると、前記第１ハウジング１０には、冷媒が流入する第１パイプ１１と、前記第１パイプ１１を介して流入した冷媒が流出する第２パイプ１２が設けられてもよい。前記第１及び第２パイプ１１、１２を介して流出入される冷媒は水で用意され、冷媒の流出入を円滑に形成することができるように、別途の冷媒循環ポンプユニット（図示せず）が連結されてもよい。
【００３０】
前記第１及び第２パイプ１１、１２は、前記第１ハウジング１０に結合して、冷媒流路１５と連結されてもよい。
【００３１】
図３を参照すると、前記冷媒流路１５は、前記第１及び第２ハウジング１０、２０の結合によって形成される空間部１０ｃで形成される。具体的に、前記冷媒流路１５の上側は、前記内筒部１０ａと外筒部１０ｂとの間の離隔距離の厚さ（ｔ１）を有し、下側は、前記内筒部１０ａと前記第２ハウジング２０が対向する面の厚さ（ｔ２）は、前記冷媒流路１５を形成する面の厚さ（ｔ１）より小さく形成されてもよい。このように厚さ（ｔ１）が厚さ（ｔ２）より大きく形成されると、流路が広いかつ薄く形成されるため、冷媒の接触面が広くかつモーター径を最小化することができる。
【００３２】
一方、図４を参照すると、前記第２ハウジング２０は、前記第１ハウジング１０の下側に結合するもので、第１ハウジング１０との結合を介して本発明の一実施形態に係る冷媒流路１５を形成することができる。具体的に、前記第２ハウジング２０の円周面の上側には、複数の流路形成突起２７が形成され、前記複数の流路形成突起２７は、前記第１ハウジング１０に第２ハウジング２０が結合する時、前記空間部１０ｃに位置して冷媒の循環流路を形成する。
【００３３】
前記流路形成突起２７は、半円または多角形で形成されてもよいが、冷媒の流入及び流出の円滑化及び冷媒流動を円滑化するために、二等弁三角形の形状を持つように用意されてもよい。
【００３４】
一方、前記第１及び第２ハウジング１０、２０の結合部には、シーリングのためのリング部材（図示せず）が挿入されるが、前記リング部材によって前記冷媒が前記空間部１０ｃから漏れ出るのを防止することができる。前記リング部材は、Ｏ−ｒｉｎｇで用意され、図示されてはないが、このようなＯ−ｒｉｎｇの挿入面は段差を置いてＯ−ｒｉｎｇ挿入時発生できる組み立て圧力を最小化することができる。
【００３５】
図５は、本発明の第２実施形態に係るモーターの結合斜視図、図７は、本発明の第２実施形態に係る第１及び第２ハウジングによって形成される冷媒流路の形状を立体的に表示した図面、図６は、本発明の第２実施形態に係る第１ハウジングの背面斜視図、図８は本発明の第２実施形態に係る第２ハウジングの斜視図である。
【００３６】
本発明の第２実施形態に係るモーターは、前記第１実施形態のように第１及び第２ハウジング１１０、１２０で構成されるが、前記第１実施形態とは異なって、前記第２ハウジング１２０の側壁に第１及び第２パイプ１１１、１１２が連結されて冷媒が流入及び流出することができる。
【００３７】
前記第１ハウジング１１０は、前記第２ハウジング１２０との連結部に複数の第１流路形成突起１１５を一定間隔で用意することができる。具体的に、前記第１流路形成突起１１５は、図示されたように、円筒形状の挿入筒部１１３の外周面に一定間隔で突出形成されてもよい。また、前記第１ハウジング１１０は、優れた放熱効果のために、金属材質で実現してもよい。
【００３８】
図７を参照すると、前記冷媒流路１５０は、前記第１及び第２ハウジング１１０、１２０の結合によって形成された空間部として用意されたもので、前記第１ハウジング１１０の挿入筒部１１３が前記冷媒流路１５０の内側面になり、前記第２ハウジング１２０の内側筒部１２２が、前記冷媒流路１０の外側面として用意されてもよい。この時、前記第２ハウジング１２０の内側には、前記第１流路形成突起１１５と干渉されない位置に、第２流路形成突起１２５が用意されてもよい。
【００３９】
この時、前記第１及び第２流路形成突起１１５、１２５は、互いに対応する形状で用意されるのがよいが、本発明の一実施形態によると、互いに異なる幅を持つ二等弁三角形の形状で用意されてもよい。
【００４０】
このように、第２実施形態に係る冷媒流路としては、図７に示したように、前記冷媒流路１５０が一定の幅を持つように用意されうるため、ジグザグ形状で冷媒流路が構成されて、冷媒の流れ方向が変更されても、冷媒流量の増減を最小化できて、冷媒が冷媒流路１５０に停滞すること９なく流れるようになる。また、このような第２実施形態に係る冷媒流路構造は、前述した第１実施形態に係る前記リーブ部材３６や流路形成突起２７を含む構造に比べて、冷媒流路の長さが長くなる効果があって、モーターの冷却効率を向上させることができる。
【００４１】
以下、本発明の第１及び第２実施形態に係るモーターのクーリング動作について図面を参照して説明する。
【００４２】
図１乃至図４を参照すると、本発明の第１実施形態によるモーターは、作動時発生する熱を冷却させるために、液体冷媒をモーターの周りに循環させることができる構造を含んでいる。従って、モーターが作動すると、第１パイプ１１を介して冷媒が流入して、流入した冷媒は、第１ハウジング１０の内筒部１０ａと外筒部１０ｂとの間に用意された冷媒流路１５を冷媒で満たして、ジグザグ方向に流動しながら第２パイプ１２から排出されてもよい。
【００４３】
また、図５乃至図８を参照すると、本発明の第２実施形態に係るモーターは、第１及び第２ハウジング１１０、１２０の結合によって形成される冷媒流路１５０が、幅が一定のジグザグ形状で用意され、前記冷媒流路１５０を介して流れる冷媒が停滞されることなく第２パイプ１１２から排出されてもよい。
【００４４】
また、既存に比べて冷却性能が向上するため、ステーターを構成するコイルの等級は低くして使用できて、コイル巻線数を増加させてモーター効率をより向上させることができる。
【００４５】
以上、前記説明によって、当業者であれば、本発明の技術的思想を逸脱しない範囲で多様な変更及び修正が可能であることが分かり、本発明の技術的範囲は、実施形態に記載された内容に限定されることなく、特許請求の範囲及びそれと均等な範囲によって定まらなければならない。
【符号の説明】
【００４６】
１０、１１０   第１ハウジング
１０ａ        内筒部
１０ｂ        外筒部
１０ｃ        空間部
１１、１１１   第１パイプ
１２、１１２   第２パイプ
１５、１５０   冷媒流路
２０、１２０   第２ハウジング
２７          流路形成突起
２８          段差
１１５        第１流路形成突起
１２５        第２流路形成突起
【図１】
2014096979.tif 000003
【図２】
2014096979.tif 000004
【図３】
2014096979.tif 000005
【図４】
2014096979.tif 000006
【図５】
2014096979.tif 000007
【図６】
2014096979.tif 000008
【図７】
2014096979.tif 000009
【図８】
2014096979.tif 000010